(57)【要約】【課題】植栽設備の美観を損なうことなく、良好な施工性で植栽基盤を固定することができる植栽基盤の固定構造を提供する。【解決手段】植栽された育成材１０６を底板１０１で支持する植栽基盤１００を敷設面３００に固定する構造であって、植栽基盤１００の底板１０１から上方へ突出し且つ上端から下方へ向かって内径を漸次縮径する上下開放の筒部１０５を設け、筒部１０５に固定部材であるボルト１１０を挿通し、ボルト頭部１１０ａが筒部１０５の内面に当接して引っ掛かる位置までボルト１１０を敷設面３００のアンカーホルダー１２０に螺着して固定し、ボルト頭部１１０ａの上面を筒部１０５の上端と同一高さに配置するか、若しくは筒部１０５内に配置する。【選択図】図２
2007159484.tif 000002
【特許請求の範囲】
【請求項１】
植栽部を底部で支持する植栽基盤を敷設面に固定する植栽基盤の固定構造であって、
植栽基盤の底部から上方へ突出する上下開放の筒部に固定部材を挿通し、
該挿通する固定部材を、敷設面に直接固定若しくは敷設面に固着した介在体と固定することにより敷設面に固定し、
該固定状態に於ける固定部材の上端を、筒部の上端と略同一高さに配置若しくは筒部内に配置することを特徴とする植栽基盤の固定構造。
【請求項２】
前記筒部の上端から下方へ向かって内径を縮径することを特徴とする請求項１記載の植栽基盤の固定構造。
【請求項３】
前記筒部内の縮径箇所に前記固定部材の係止部が係止されることを特徴とする請求項２記載の植栽基盤の固定構造。
【請求項４】
前記筒部の内部に、前記固定部材の係止部が係止される係止受部を形成することを特徴とする請求項１又は２記載の植栽基盤の固定構造。
【請求項５】
前記植栽基盤を貯水部若しくは保水部に載置して該植栽基盤筒部と対応する位置に形成されている貯水部若しくは保水部の筒部を連通し、該連通する筒部に固定部材若しくは固定部材と介在体を配設して該植栽基盤と貯水部若しくは保水部を敷設面に固定することを特徴とする請求項１〜４の何れかに記載の植栽基盤の固定構造。
【請求項６】
前記介在体を細長形状とし、一つの介在体に複数の植栽基盤を固定することを特徴とする請求項１〜５の何れかに記載の植栽基盤の固定構造。
【発明の詳細な説明】
【技術分野】
【０００１】
本発明は、植栽部を底部で支持する植栽基盤を敷設面に固定する植栽基盤の固定構造に関する。
【背景技術】
【０００２】
現代社会における都市部には自然が不足しているが、人間の自然に対する希求に応えて自然不足を補うべく、例えばビルの屋上、折板屋根など建物の屋根、ベランダ、テラス等を人工的に緑化する植栽設備を設け、都市部における緑化対策が図られている。植栽設備としては、様々なものが提案されているが、その一つに、植栽部を底部で支持する植栽基盤を用いる植栽設備が知られている。前記植栽設備では、建物の耐荷重性から軽量な植栽基盤を用いるため、植栽基盤を敷設面に固定することが好ましい。斯様な植栽基盤を敷設面に固定する植栽設備を開示している先行技術文献として特許文献１〜５がある。
【０００３】
特許文献１には、植栽部と水抜き部とを有し、互いに隣接配置する複数のトレー（植栽基盤）と、トレーを固定するためにトレーのコーナ部間に配置して床面に取り付ける複数の固定具とを備え、固定具を、床面に接着して取り付けるベース材と、ベース材の上面に立設する位置規制部材と、位置規制部材の上端に着脱自在に固定する抜止部材とで構成し、位置規制部材がトレーのコーナ部に係合してトレーの前後左右方向の移動を規制し、抜止部材がトレーの上方への移動を規制する構造が開示されている。
【０００４】
特許文献２、３には、底面と側面とで形成される平面視略正方形の土壌収容自在な植栽トレー（植栽基盤）に四隅を面取りしてコーナ側面を設け、隣り合う４個の植栽トレーの前記コーナ側面で矩形空間を形成すると共に、屋根上に敷設される防水シートに立設する固定用ボルトを前記矩形空間に配置し、植栽トレーのコーナ側面の上縁に押さえ部を引っ掛かけて押さえ金具を固定用ボルトに取り付け、植栽トレーを屋根に固定する構造が開示されている。
【０００５】
特許文献４には、吸盤状の定着部と該定着部に対して鉛直に突設される取付用凸部を合成樹脂で一体形成し、前記定着部を防水層の上面に溶着又は接着し、固定部材の上から植栽マット（植栽基盤）又は植栽トレー及び植栽マット（植栽基盤）を設置し、固定部材の取付用凸部に係止部材を取り付け、植栽マット又は植栽トレー及び植栽マットを係止部材と固定部材の定着部とで狭持する構造が開示されている。
【０００６】
【特許文献１】特開２００３−２５０３５４号
【特許文献２】特開２００３−１１６３５６号
【特許文献３】特開２００４−１６０１５号
【特許文献４】特開２００３−２１９７２９号
【発明の開示】
【発明が解決しようとする課題】
【０００７】
ところで、特許文献１〜３に記載の如く、植栽基盤の外側のコーナ部間で植栽基盤を固定する場合、(1)固定具の個数が多くなって高コストとなる、(2)衝撃で植栽基盤がズレて固定から外れてしまう、(3)敷設面に段差など不陸が存在する場合にコーナ部に於ける植栽基盤上面に段差が生じ、固定具による固定強度が植栽基盤毎にばらついてしまう、(4)抜止部材など植栽設備の上方から目視される大きな部材や植栽面より上方に大きく突出する部材が設けられることにより美観が損なわれる、という不具合を生ずる。他方において、特許文献４の固定構造では、植栽基盤（植栽マットや植栽トレー）を植栽基盤内で固定していることから、上記(1)〜(3)の課題を解決することはできるものの、(4)の課題を解消することはできない。
【０００８】
本発明は上記課題に鑑みて提案するものであって、植栽設備の美観を損なうことなく、良好な施工性で植栽基盤を固定することができる植栽基盤の固定構造を提供することを目的とする。
【課題を解決するための手段】
【０００９】
本発明の植栽基盤の固定構造は、植栽された或いは植栽可能な植栽部を底部で支持する植栽基盤を敷設面に固定する植栽基盤の固定構造であって、植栽基盤の底部から上方へ突出する上下開放の筒部に固定部材を挿通し、該挿通する固定部材を、敷設面に直接固定若しくは敷設面に固着した介在体と固定することにより敷設面に固定し、該固定状態に於ける固定部材の上端を、筒部の上端と略同一平面とするなど略同一高さに配置若しくは筒部内に配置することを特徴とする。前記構成では、例えば植栽部を育成材層と育成材層の上方に配置する植栽マットで構成し、筒部の上端を育成材層の上端と略同一平面状など略同一高さ若しくはそれよりも若干上方に配置するとよい。
また、本発明の植栽基盤の固定構造は、前記筒部の上端から下方へ向かって内径を縮径することを特徴とする。
【００１０】
また、本発明の植栽基盤の固定構造は、前記筒部内の縮径箇所に前記固定部材の係止部が係止されることを特徴とする。例えば固定部材をボルト、係止部をボルト頭部とする場合に、筒部内の所定位置の縮径箇所に頭部（係止部）を係止し、前記係止で筒部に対するボルトの挿入位置を設定可能とする。
また、本発明の植栽基盤の固定構造は、前記筒部の内部に、前記固定部材の係止部が係止される係止受部を形成することを特徴とする。例えば固定部材をボルト、係止部をボルト頭部とする場合に、筒部内の所定位置の係止受部にボルト頭部（係止部）を係止して、係止受部に穿設されている貫通穴にボルトを挿通し、前記係止で筒部に対するボルトの挿入位置を設定可能とする。
また、本発明の植栽基盤の固定構造は、前記植栽基盤を貯水部若しくは保水部に載置して該植栽基盤筒部と対応する位置に形成されている貯水部若しくは保水部の筒部を連通し、該連通する筒部に固定部材若しくは固定部材と介在体を配設して該植栽基盤と貯水部若しくは保水部を敷設面に固定することを特徴とする。例えば上方に配置する植栽コンテナの筒部と下方に配置する貯水トレー等の貯水部の筒部を連通し、前記筒部の連通で植栽コンテナの筒部の上端から敷設面まで一連の空間を形成し、前記空間にボルト等の固定部材や必要に応じて介在体を設け、植栽コンテナや貯水部を敷設面に固定する。
また、本発明の植栽基盤の固定構造は、前記介在体を細長形状とし、一つの介在体に複数の植栽基盤を固定することを特徴とする。例えば植栽基盤を植栽コンテナ、介在体を略四角筒形とする場合に、敷設面に固着される略四角柱形の介在体に２個以上の複数の植栽コンテナを固定する。
尚、本願の発明には、各発明や実施例の部分的な構成を他の発明や実施例等の構成に変更し、或いは各発明や実施例の構成に他の構成を付加し、或いは各発明や実施例の部分的な構成を部分的な作用効果が得られる限度で削除して上位概念化したものも含まれる。
【発明の効果】
【００１１】
本発明の植栽基盤の固定構造は、固定部材の上端を筒部の上端と略同一高さや筒部内に配置することにより、筒部の上端を概略覆う植物で筒部や固定部材の目視を困難とすることが可能であり、植栽設備の優れた美観を維持することができる。また、育成材から隔離された筒部内で固定することにより、例えば筒部の外周に育成材を設けた後に固定部材で固定する、或いは固定部材で固定した後に筒部の外周に育成材を設ける等、施工手順の自由度を高めることができると共に、一旦固定した後の取り外しも容易であり、高い施工性を有する。
【００１２】
また、植栽基盤のコーナ部の外側ではなく植栽基盤内で固定すること等により、固定具の個数を減らして低コスト化できる、衝撃で植栽基盤がズレて固定から外れるようなことがなく、確実に高い強度で固定することができる、敷設面に段差など不陸が存在する場合にも植栽基盤毎の固定強度のバラツキを抑えることができるという効果を奏する。更に、コーナ部の外側で固定する構造では、非常に微妙な調整が必要となり、例えば墨出しを行ってコーナに位置する箇所にベース部を接着して樹脂製等の植栽トレーを敷設する場合に、施工時の天候や気温で植栽トレーに伸びが生じて必要なベース部の設置位置が墨出しの結果とは異なってしまい、墨出しからやり直す必要が生ずる場合があるが、斯様な墨出しのやり直しの必要もなく、固定作業を容易化することができる。
また、植栽基盤の筒部の上端から下方へ向かって内径を縮径することにより、ボルト等の固定部材を筒部に挿入しやすくなり、施工性を高めることができる。また、筒部内の縮径箇所で固定部材の係止部を係止する、或いは筒部の内部の係止受部で固定部材の係止部を係止することにより、固定部材の挿入位置が筒部内で設定可能となり、施工性を高めることができると共に、取り外しも容易となる。
また、植栽基盤と貯水部の連通する筒部に固定部材若しくは固定部材と介在体を配設して植栽基盤と貯水部若しくは保水部を敷設面に固定することにより、植栽基盤の固定作業と同時に貯水部等を固定することができ、施工性を高めることができると共に、貯水部等も高い強度で固定することができる。
また、介在体を細長形状とし、一つの介在体に複数の植栽基盤を固定することにより、一つの介在体を設置することで多数の植栽基盤を設置することが可能となり、介在体を設ける場合の施工性を高めることができる。
【発明を実施するための最良の形態】
【００１３】
以下、本発明の植栽基盤の固定構造の実施例を図面に沿って説明するが、本発明は以下の実施例や例示に限定されるものではなく、各実施例や例示の構成を適宜組み合わせたものも本発明に含まれる。
【実施例１】
【００１４】
第１実施例の植栽基盤の固定構造は、植栽基盤１００を敷設面３００に固定するものである（図１〜図４参照）。植栽基盤１００は、図１に示すように、底部である平面視略矩形の底板１０１を有し、底板１０１の四方で隣り合う植栽基盤１００相互を連係する連係部として、底板１０１の四辺に上側連係片１０２と下側連係片１０３が形成されている。上側連係片１０２は、底板１０１の一方の隣り合う２辺に於いて、底板１０１の上面近傍から外方へ突出し、端縁が下方へ屈曲延設する略鉤形に形成され、下側連係片１０３は、底板１０１の他方の隣り合う２辺に於いて、底板１０１の下面近傍から外方へ突出し、端縁が上方へ屈曲延設する略鉤形に形成されており、隣り合う植栽基盤１００・１００の一方の植栽基盤１００の上側連係片１０２と他方の植栽基盤１００の下側連係片１０３を嵌合或いは係合し、植栽基盤１００・１００相互を並列して連係可能である。
【００１５】
底板１０１の四隅近傍には、底面視四角形で板状の支持脚１０４が形成されており、底板１０１の下面と敷設面３００との間に支持脚１０４の高さに相当する空間を形成し、前記空間を利用して排水することで、植栽設備の余剰水の良好な排水が可能になっている。また、底板１０１の中央には、上面から上方へ突出して筒部１０５が形成されている。筒部１０５は、中空で上下開放の略円筒形であり、上方へ向かって漸次縮径して先細りとなる外周部１０５ａと、略水平の上端面１０５ｂと、下方へ向かって漸次縮径して先細りとなる孔部１０５ｃとを有し、孔部１０５ｃは底板１０１の下面まで貫通して開放されている。孔部１０５ｃの上端開口は、後述するボルト１１０の頭部１１０ａを遊挿可能な径で大きく形成され、その下端開口は、ボルト１１０を挿通可能で且つ頭部１１０ａを挿通不能な径で小さく形成されている。尚、植栽基盤１００は、例えば樹脂で成形すると好適であるが、木材・石材・鋼板など適宜の素材で形成することが可能である。
【００１６】
上記植栽基盤１００を敷設面３００に固定する際には、図２に示すように、各植栽基盤１００の孔部１０５ｃが配置される位置に対応する敷設面３００の位置に予めアンカーホルダー１２０を埋設しておく。そして、各アンカーホルダー１２０に孔部１０５ｃが対応するようにして各植栽基盤１００を配置していき、隣り合う植栽基盤１００・１００相互を上側連係片１０２と下側連係片１０３で係合して連係しながら、植栽基盤１００を縦横に並列して敷設し、植栽基盤群を形成する。
その後、植栽基盤１００の筒部１０５に固定部材であるボルト１１０を上方から挿通し、ボルト１１０の雄ねじが形成された軸部１１０ｂをアンカーホルダー１２０に螺合していく。この際、孔部１０５ｃは下方へ向かって徐々に縮径し、孔部１０５ｃの下端の開放部分が頭部１１０ａの外周よりも小さくなっていることから、孔部１０５ｃ内の所定位置で頭部１１０ａが筒部内面に当接して引っ掛かり、前記位置までボルト１１０を螺合して固定が完了する。前記ボルト１１０とアンカーホルダー１２０の固定作業を各植栽基盤１１０について行い、全ての植栽基盤１１０を敷設面３００に固定する。
【００１７】
そして、植栽基盤１００の底板１０１上に、上面が筒部１０５の上端面１０５ｂと略面一となる程度で育成材１０６を敷設し（図３参照）、敷設した育成材１０６に芝生など植物１０７を植栽する、或いは切芝などの植栽マットを育成材１０６上に載置することにより植栽を施し、植栽設備が完成する（図４参照）。
尚、育成材１０６には適宜のものを用いることが可能であるが、屋上、或いはベランダ等に植栽設備を設ける場合は、出来るだけ軽量なものとすることが好ましく、例えばパーライト、バーミキュライト、ピートモス、バーク堆肥、チャフコン、木質腐朽有機物、ゼオライト等、建築廃材、下水若しくは浄水汚泥等、或いは椰子繊維等とすることができる。また、前記例示の育成材の内の数種類や、必要に応じて根腐れ防止用の珪酸塩白土などを植栽の種類、環境などに応じて適宜選定し、これを保水性、排水性、通気性を良好にするためバランスよく配合した軽量育成材等としてもよく、斯様な通気性等が良好な軽量育成材を採用することにより、植物１０７の根が傷むことを防止できる。更に、軽量育成材による荷重は例えば従来の客土の約１／３程度であり、軽量育成材を用いることで敷設面３００への荷重付加を軽減することができる。また、育成材１０６を固化したものや椰子繊維をマット状にしたものなどユニット化した育成材１０６ａを用いてもよく（図５参照）、ユニット化した育成材１０６ａを用いることにより、施工性をより向上することができると共に、植栽設備の撤去時に育成材１０６ａの撤去や引いてはボルトの取り外し作業も容易となり、施工や撤去の低コスト化を図ることができる。
また、植栽基盤１１０の固定は育成材１０６を敷設する前に行う場合に限定されず、例えば図５に示すように、育成材１０６を敷設して植物１０７を植栽した後に、筒部１０５内にボルト１１０を挿通して固定する構成や、並列配置された植栽基盤１１０の固定作業を順次進めつつ同時並行して育成材１０６の敷設や植栽を進めるなど適宜である。
【００１８】
上記第１実施例の植栽基盤１００の固定構造は、固定部材であるボルト１１０の頭１１０ａが筒部１０５内に配置され、更には、筒部１０５も育成材１０６や植物１０７で略覆われることから、植栽面から上方へ突出する部材や植栽面で大きく露出する部材が存在しないことから、植栽設備の美観を損ねることがない。また、育成材１０６から隔離された筒部１０５内で固定することにより、例えば筒部１０５の外周に育成材１０６を設けた後にボルト１１０で固定する、或いはボルト１１０で固定した後に筒部１０５の外周に育成材１０６を設ける等、施工手順の自由度を高めることができると共に、一旦固定した後の取り外しも容易であり、高い施工性を有する。また、筒部１０５の孔部１０５ｃが上方へ向かって漸次拡径することから、ボルト１１０等の固定部材をスムーズに孔部１０５ｃ内に挿入することができる。また、筒部１０５の外周部１０５ａが下方へ向かって漸次拡径することから、育成材１０６を容易に敷設することができると共に、例えば外周部１０５ａの下端近傍等にもムラの無い密度で育成材１０６を設けることができる。
また、ボルト１１０とアンカーホルダー１２０との螺着や頭部１１０ａの孔部１０５ｃへの係止により、植栽基盤１１０は敷設面３００に非常に強固に固定されることから、例えば台風などの強風でも植栽基盤１００が飛散することがなく、植栽設備１００を長期に亘って安定設置することができる。また、筒部１０５が上下が開放していることから、育成材１０６を敷設する際に育成材１０６が筒部１０５内に詰まることを防止することができ、例えば育成材１０６を敷設した後のボルト１１０による固定作業が育成材の１０６の詰まりで阻害されることがない。特に、本例の孔部１０５ｃは断面視でテーパ状に漸次縮径する形状であることから、育成材１０６は孔部１０５ｃ内に停滞することなく、スムーズに下方へ落下する。
【実施例２】
【００１９】
次に、第２実施例の植栽基盤の固定構造について第１実施例と異なる箇所の詳細を説明する。
【００２０】
第２実施例に於ける植栽基盤１００では、図６に示すように、支持脚１０４が第１実施例よりも高い略直方体形に形成されていると共に、内周面の径が上端面１０５ｂから漸次縮径する孔部１０５ｃ内の所定位置に水平面の係止受部１０５ｄが形成され、係止受部１０５ｄの中央に開口して略同一径で下方へ貫通する貫通孔１０５ｅが形成されており、孔部１０５ｃの径が下方へ向かって段差状に狭められている。筒部１０５の上端の開放部分は、ボルト頭部１１０ａよりも大きく頭部１１０ａを挿通可能であるが、貫通孔１０５ｅはボルト軸部１１０ｂよりも大径で且つボルト頭部１１０ａより小径で、ボルト軸部１１０ｂのみを挿通可能であり、ボルト頭部１１０ａは係止受部１０５ｄに引っ掛かって所定位置で係止されるようになっている。
【００２１】
また、敷設面３００には、植栽基盤１００の筒部１０５に対応する位置に介在体１３０が設けられる。介在体１３０は中空で略四角筒形であり、その下板１３０ａは敷設面３００に接着剤や両面テープ等で固定され、下板１３０ａの両側端から立設する側壁１３０ｂで支持される上板１３０ｃには、ボルト１１０の軸部１１０ｂが螺合される雌ねじ部１３０ｄが長手方向に所定間隔を開けて複数形成されている。
植栽基盤１００を敷設面３００に設置する際には、予め敷設面３００に固着する介在体１３０の雌ねじ部１３０ｄに筒部１０５を対応させて各植栽基盤１００を配置し、植栽基盤１００の孔部１０５ｃにボルト１１０を挿通し、貫通孔１０５ｅを貫通したボルト軸部１１０ｂを介在体１３０の雌ねじ部１３０ｄに螺合する。ボルト１１０は頭部１１０ａが係止受部１０５ｄで係止されるまで螺合し、ボルト１１０と介在体１３０を固定することにより、ボルト頭部１１０ａが係止受部１０５ｄに係止される植栽基盤１００と介在体１３０が固着されている敷設面３００とを固定する。前記固定を介在体１３０の長手方向に複数並ぶ雌ねじ部１３０ｄと植栽基盤１００について行い、長尺の介在体１３０の長手方向へ複数の植栽基盤１００を固定する。その他の構成は第１実施例と同様である。
尚、長尺の介在体１３０に一対多で複数の植栽基盤１００を固着する構成に代え、一つの短尺の介在体１３０に一つの植栽基盤１００を固定して一対一で固着する構成とすることも可能である。また、介在体１３０の素材は、例えばステンレスやアルミ等の鋼板、或いは樹脂成形で形成するなど適宜である。また、予め形成された介在体１３０の雌ねじ部１３０ｄにボルト１１０を螺合する構成に代え、雌ねじ部１３０ｄが形成されていない介在体１３０と固定部材であるビスを用い、孔部１０５ｃに挿通して貫通孔１０５ｅから突出するビスを介在体１３０の上板１３０ｃにねじ込む構成とすることも可能であり、前記構成により、雌ねじ部１３０ｄを形成する穴開け加工等が不要となり、低コスト化を図ることができる。
上記第２実施例の植栽基盤１００の固定構造は、第１実施例と同様に、植栽設備の優れた美観を維持できる、施工の自由度が高く施工性に優れる、ボルト１１０等の固定部材をスムーズに孔部１０５ｃ内に挿入することができる、育成材１０６を容易に且つムラなく敷設することができる効果を有する。また、介在体１３０の敷設面３００への固着や頭部１１０ａの係止受部１０５ｄへの係止により、植栽基盤１１０を敷設面３００に強固に固定することができる。また、介在体１３０を敷設面３００に固着する構成により、例えば敷設面３００を傷つけること無く固定することができると共に、アンカーホルダー１２０を設ける場合よりも施工性が向上し、低コスト化することができる。また、固定部材としてビスを用いる場合には、上方からビスをねじ込んで固定することができるので、一層施工性が良好となる。
【実施例３】
【００２２】
次に、第３実施例の植栽基盤の固定構造について第１、第２実施例と異なる箇所の詳細を説明する。
【００２３】
第３実施例に於ける植栽基盤は、図７に示すように、底板１４１と側壁１４２を有する上面開放で略箱形の植栽コンテナ１４０である。植栽コンテナ１４０の側壁１４２には中間から下部にかけて内向きへこみ部１４３が形成されており、又、その底板１４１には、下方へ突出して複数形成されている底面視Ｌ字形やＩ字形の支持脚１４４と、後述する貯水トレー１５０に余剰水を排水し且つ植物１０７の根へ空気を送ることが可能なスリット状の孔である複数の通水兼通気孔１４５と、四隅近傍で下方に突出形成され下端に吸水孔１４７が穿設されている吸水凸部１４６とが設けられている。吸水凸部１４６は、植栽コンテナ１４０に充填される育成材１０６の毛細管現象等により、後述の貯水トレー１５０の水分を吸水孔１４７から吸水可能である。
底板１４１の略中央には、第１実施例と類似形状の筒部１０５が植栽コンテナ１４０の側壁１４２の上端と同一高さまで立設されている。前記筒部１０５は、第１実施例と同様に、上方へ向かって漸次縮径される外周部１０５ａと上端面１０５ｂと下方へ向かって漸次縮径される孔部１０５ｃとを有し、孔部１０５ｃは底板１０１の下面まで貫通して開放されている。孔部１０５ｃの上端開口は、ボルト１１０及びその頭部１１０ａと後述する介在体１６０と間座部１７０を遊挿可能な径で大きく形成され、その下端開口は、ボルト１１０と介在体１６０とを挿通可能で且つ間座部１７０を挿通不能な径で小さく形成されている。
また、第３実施例に於ける貯水トレー１５０は、図８に示すように、底板１５１と上方に向かって広がるテーパ状の側壁１５２とを有し、底板１５１の平面視中央で植栽コンテナ筒部１０５と対応する位置には上方へ突出して上下開放の円筒形の筒部１５３が形成されている。筒部１５３の上端は側壁１５２の上端よりも高く植栽コンテナ１４０の支持脚１４４の高さと略同一高さになっている。更に、筒部１５３の孔部１５３ａは後述する介在体１６０を挿通可能な径で形成され、又、植栽コンテナ筒部１０５の孔部１０５ｃと略同一径で形成されている。また、介在体１６０は、図９に示すように、中空で短尺の略四角筒形であり、１６０ａは下板、１６０ｂは側壁、１６０ｃは上板、１６０ｄは雌ねじ部である。また、間座部１７０は、図１０に示すように、中空で短尺の略円筒形であり、１７０ａは肉厚が厚い周壁、１７０ｂは貫通孔である。間座部１７０の周壁１７０ａの外周面は下方に向かって漸次縮径しており、植栽コンテナ孔部１０５ｃの形状に合う傾斜面になっている。
【００２４】
上記植栽コンテナ１４０と貯水トレー１５０を敷設面３００に固定する際には、図１１に示すように、貯水トレー１５０を敷設面３００に敷設し、貯水トレー１５０の筒部１５３と植栽コンテナ１４０の筒部１０５を対応配置して、貯水トレー１５０に植栽コンテナ１４０を載置する。前記対応配置による載置によって、筒部１５３、１０５の孔部１５３ａ、１０５ｃは連通し、植栽コンテナ筒部１０５の上端から敷設面３００まで略直線状の一連の空間が形成される。尚、例えば貯水トレー１５０の底板１５１に上方へ突出する円柱状の突起を形成し、植栽コンテナ１４０の底板１４１の下面に前記突起が嵌合される円筒形の突起受部を形成し、突起と突起受部を嵌合する構成など、貯水トレー１５０や植栽コンテナ１４０の凸部や凹部等で係合し、貯水トレー１５０と植栽コンテナ１４０の載置位置を位置決め固定可能にしてもよい。
【００２５】
その後、植栽コンテナ１４０と貯水トレー１５０の孔部１０５ｃ、１５３ａ内の連通空間に、植栽コンテナ孔部１０５ｃの上端から下方へ介在体１６０を装入し、貯水トレー孔部１５３ａ内に配置される介在体１６０の下板１６０ａの下面を敷設面３００に接着剤や両面テープ等により固着する。そして、間座部１７０の貫通孔１７０ｂに上方からボルト１１０の軸部１１０ｂを挿通して固定部材とし、植栽コンテナ孔部１０５ｃの上端から前記連通空間内に前記固定部材を挿入し、ボルト軸部１１０ｂを介在体１６０の雌ねじ部１６０ｄに螺合する。前記螺合では、植栽コンテナ筒部１０５の孔部１０５ｃの径と間座部１７０の周壁１７０ａの外径が略同一となる略中間の箇所で間座部１７０が孔部１０５ｃに引っ掛かるため、間座部１７０の周壁１７０ａ外周面が孔部１０５ｃの内周面に当接して係止される位置で螺合が完了し、介在体１６０の敷設面３００への固定、ボルト軸部１１０ｂの雌ねじ部１６０ｄへの螺着、間座部１７０の孔部１０５ｃへの係止を介して、植栽コンテナ１４０と貯水トレー１５０が敷設面３００に位置決め固定される。前記植栽コンテナ１４０及び貯水トレー１５０は縦横に並列配置され各々同様に固定されると共に、各植栽コンテナ１４０には育成材１０６が充填され、育成材１０６に植物１０７が植栽される。
尚、第２実施例と同様に、ボルト１１０の軸部１１０ｂの雌ねじ部１６０ｄへの螺合に代えてビス止め等による構成としてもよい。また、植栽コンテナ１４０内に育成材１０６を充填する工程や、育成材１０６に植物１０７を植栽する工程は、植栽基盤の固定後或いは固定前の何れでもよい。
【００２６】
上記第３実施例の植栽基盤の固定構造は、第１、第２実施例と同様に、植栽設備の優れた美観を維持できる、施工の自由度が高く施工性に優れる、ボルト１１０等の固定部材をスムーズに孔部１０５ｃ内に挿入することができる、育成材１０６を容易に且つムラなく敷設することができる、敷設面３００を傷つけること無く良好な施工性で固定することができる効果を有する。
また、介在体１６０の敷設面３００への固着や間座部１７０の孔部１０５ｃへの係止により、植栽コンテナ１４０等を敷設面３００に強固に固定することができる。また、固定部材としてビスを用いる場合には、上方からビスをねじ込んで固定することができるので、一層施工性が良好となる。また、複数の植栽基盤を敷設した後に介在体１６０を敷設面３００に固定することができるため、例えば介在体１６０を予め設置するための墨出し等の作業を省略することができて施工性が向上する。また、例えば工場で植栽コンテナ１４０内に育成材１０６を充填し、その状態で施工現場に搬送する場合、搬送時の揺れによって育成材１０６が筒部１０５内に入っても上下開放している孔部１０５ｃにより育成材１０６が下方へ落下するため、育成材１０６が孔部１０５ｃに詰まって固定作業の障害となる事態を防止できる。また、介在体１６０、間座部１７０、ボルト１１０による固定構造は施工現場の状況など必要に応じて適宜用いる或いは用いないことが可能であり、更に、容易に固定構造を追加できる。
【実施例４】
【００２７】
次に、第４実施例の植栽基盤の固定構造について第１〜第３実施例と異なる箇所の詳細を説明する。
第４実施例の固定構造は、第３実施例と同一構成の植栽コンテナ１４０（植栽基盤）及び貯水トレー１５０を平らな敷設面３００ではなく、図１２及び図１３に示す折板屋根４００に設置して固定するものである。本実施例に於ける折板屋根４００は、筋状に延びる山部４０１と谷部４０２が交互に連続して形成されているものであり、山部４０１の略水平な山部頂面４０３の略中央には、山部４０１の長手方向に延びるハゼ部４０４が上方に突出して設けられている。ハゼ部４０４は、折板屋根４００の山部４０１や谷部４０２を構成する構成部材を連結する。
折板屋根４００に植栽コンテナ１４０及び貯水トレー１５０を敷設する際には、図１２及び図１３に示すように、隣り合うハゼ部４０４・４０４の内側に位置する山部頂面４０３・４０３に下地体４１０を架け渡して載置し、隣り合う山部４０１・４０１間に下地体４１０を架橋設置する。下地体４１０は、断面視略コ字形であり、上板４１１と、上板４１１の両側端から下方へ延びる側壁４１２と、側壁４１２の下端から内方へ屈曲する屈曲片４１３とを有する。架橋された下地体４１０の屈曲片４１３の下面は山部４０１の頂面４０３に接着剤や両面テープ等により固着され、架橋設置された下地体４１０の上板４１１の上面はハゼ部４０４の上端よりも高い位置に配置される。
そして、下地体４１０の上板４１１が筒部１５３の下方に位置するようにして貯水トレー１５０を下地体４１０上に載置し、貯水トレー１５０内に筒部１０５、１５３を対応配置して植栽コンテナ１４０を載置する。その後、更に、植栽コンテナ１４０と貯水トレー１５０の対応配置された筒部１０５、１５３の連通する孔部１０５ｃ、１５３ａに、固定部材である間座部１７０に軸部１８０ｂが挿通されたビス１８０を上方から挿入し、ビス頭部１８０ａに係止される間座部１７０の周壁１７０ａが孔部１０５ｃの内面に当接して下方移動不能になるまで、ビス１８０を下地体４１０の上板４１１にねじ込む。前記ビス１８０のねじ込みにより、ビス１８０と下地体４１０が固定され、断面視で下方に向かって先細りとなるテーパ状の間座部周壁１７０ａの外周面が断面視で下方に向かって先細りとなるテーパ状の孔部１０５ｃの内周面に当接することにより、植栽コンテナ１４０が間座部１７０で係止されて下地体４１０や山部頂面４０３に位置決め固定される。また、筒部１５３内にビス１８０を挿通され、植栽コンテナ１４０の支持脚１４４で下方へ押圧される貯水トレー１５０も下地体４１０や山部頂面４０３に位置決め固定される。本例では下地体４１０が介在体に相当し、山部頂面４０３が敷設面に相当する。その後、敷設した植栽コンテナ１４０内に育成材１０６を充填し、植栽マット１０８を育成材１０６上に載置する、或いは育成材１０６に植物１０７を植栽する。
尚、複数組の植栽コンテナ１４０及び貯水トレー１５０を縦横に並列配置する場合、下地体４１０を各山部頂面４０３・４０３間に配置し且つ山部４０１の長手方向へ所定間隔を開けて配置し、各下地体４１０に対して一対一で植栽コンテナ１４０及び貯水トレー１５０を配置する構成としてもよいが、ビス１８０が固定される下地体１４０の左右にビス１８０が固定されない下地体１４０を設けて３本の下地体１４０で貯水トレー１５０を支持するなど、複数の下地体１４０で一つの貯水トレー１５０を支持する構成としてもよい。また、ビス１８０で固定する構成に代え、上記と同様に、下地体４１０の上板４１１に雌ねじ部を穿設し、前記雌ねじ部にボルト１１０を螺着する構成としてもよい。
上記第４実施例の植栽基盤の固定構造は、第１〜第３実施例と同様に、植栽設備の優れた美観を維持できる、施工の自由度が高く施工性に優れる、ボルト１８０等の固定部材をスムーズに孔部１０５ｃ内に挿入することができる、育成材１０６を容易に且つムラなく敷設することができる、敷設面を傷つけること無く良好な施工性で固定することができる、植栽コンテナ１４０等を強固に固定することができる、ビスのねじ込みによる固定等で施工性を高めることができる、育成材１０６が孔部１０５ｃに詰まって固定作業の障害となる事態を防止できる等の効果を有する。更に、折板屋根４００にも植栽設備を固定することができ、植栽設備へのユーザーの多様な要望に応えることができる。
【実施例５】
【００２８】
次に、第５実施例の植栽基盤の固定構造について第１〜第４実施例と異なる箇所の詳細を説明する。
【００２９】
第５実施例の植栽基盤の固定構造は、第３、第４実施例と同様に、植栽基盤である植栽コンテナ１９０と貯水トレー２１０とを敷設面３００に固定する構造である。
第５実施例に於ける植栽コンテナ１９０は、図１４に示すように、底板１９１と側壁１９２を有する上面開放で略箱形であり、側壁１９２には中間から下部にかけて内向きへこみ部１９３が形成されている。隣り合う２辺の側壁１９２・１９２の上端には、他の隣り合う２辺の側壁１９２・１９２の上端よりも板厚分など若干高い位置で外方へ屈曲する水平片１９４が形成されており、植栽コンテナ１９０を並設する際に、隣り合う植栽コンテナ１９０・１９０の側壁１９２・１９２相互間の隙間を上方から目視不能に水平片１９４で覆うことが可能である。
植栽コンテナ１９０の４辺の各側壁１９２の略中央上端には、図１４及び図１６に示すように、内壁及び内壁より短い外壁、左右両壁で囲まれ、下面開放の筒形の連係受部１９５が形成されている。連係受部１９５の形成箇所では、側壁１９２の上端が僅かに低く形成され、且つ外壁上端近傍のみ肉厚が厚く形成されており、連係受部１９５は断面視略二字形になっている。植栽コンテナ１９０・１９０を相隣して並設した際には、隣接する連係受部１９５・１９５で断面視略Ｏ字形の空間が形成され、前記空間に略Ｕ字形の連結部材１９６を係入して植栽コンテナ１９０・１９０を相互に連係する。前記連係では、連結部材１９６の両先端に内側に突出形成されている係止突起１９６ａ・１９６ａを、前記外壁下端の開放の段差箇所に係合する。
更に、植栽コンテナ底板１９１の４辺の各側壁１９２の略中央に対応する位置には、第２実施例と同様の形状の孔部１０５ｃに係止受部１０５ｄを有する筒部１０５が形成されている。前記係止受部１０５ｄの周端近傍には上下に貫通する小孔１０５ｆが４つなど複数穿設されており、ボルト１１０或いはビス１８０を孔部１０５ｃに挿通して締め付けて貫通孔１０５ｅ等を塞いた際に、降雨等で孔部１０５ｃ内に貯まる水を小孔１０５ｆを通して排水し、ボルト１１０或いはビス１８０等の錆を防止可能である。尚、固定箇所を筒部１０５で植栽コンテナ１９０内の植栽領域を隔離することで、植物１０７の根が固定箇所に入り込むことを防止可能である。
植栽コンテナ底板１９１には、上方へ突出する平面視略十字形の柱状部材１９７が複数立設され、柱状部材１９７で上方からの踏圧等の荷重を支え、植栽コンテナ１９０内に充填される育成材１０６の固化や植栽される植物１０７へのダメージを減らすことが可能である。底板１９１の下面には、井桁状の補強リブ２０３が小さい突出率で下方へ突出して形成されていると共に、柱状部材１９７と平面視同一位置等に底面視略十字形・Ｌ字形等の複数の支持脚１９８が下方へ突出形成され、隅部や側壁１９２の辺に沿った部分に設けられた支持脚１９８には支持脚１９８を補強する補助支持脚１９９が外方に突出形成されており、植栽コンテナ側壁１９２の内向きへこみ部１９３の上方へ荷重が偏って負荷された場合等に於ける植栽コンテナ１９０の転倒を防止している。
更に、底板１９１の四隅近傍や側壁１９２の辺に対応する位置には、下方に突出形成され下端に吸水孔２０１が穿設されている平面視略扇形の吸水凸部２００が設けられており、植栽コンテナ１９０に充填される育成材１０６の毛細管現象等により、後述の貯水トレー２１０内の水分を吸水孔２０１から吸水可能であり、又、底板１９１には第３実施例と同様の通水兼通気孔２０２が穿設されている。
また、貯水トレー２１０は、図１５に示すように、底板２１１と側壁２１２を有する貯水可能な上面開放の略箱形である。側壁２１２の上端には、隣り合う貯水トレー２１０と連係可能な連係部が形成されている。前記連係部は、隣り合う２辺の側壁２１２の上端に形成されている幅の広い断面視略鉤形の幅広連係片２１３と、他の隣り合う２辺の側壁２１２の上端に形成されている幅の狭い断面視略鉤形の幅狭連係片２１４とで構成され、隣り合う貯水トレー２１０・２１０相互に於いて、一方の貯水トレー２１０の幅広連係片２１３を他方の貯水トレー２１０の幅狭連係片２１４に載置係合して覆うことにより、貯水トレー２１０・２１０相互を連係する。
貯水トレー２１０の底板２１１には、平面視で載置される植栽コンテナ１９０の支持脚１９８や吸水凸部２００等に対応する位置に、平面視略十字形等の凹部２１５が下方へ突出形成されており、凹部２１５の下面が敷設面３００に接触して載置され、底板２１０残りの箇所は敷設面３００から若干上方に配置され、より低い位置の凹部２１５に貯水が流れ込むようになっている。
底板２１１には、４辺の側壁２１２のそれぞれの略中央位置の近傍において、略四角筒形で筒部２１６が４箇所形成されており、筒部２１６は上下開放の孔部２１６ａを有する。貯水トレー２１０の筒部２１６は、植栽コンテナ１９０を貯水トレー２１０内に載置した際に、平面視で植栽コンテナ筒部１０５と対応する位置に形成され、且つ植栽コンテナ底板１９１の下面に当接する高さで形成されており、植栽コンテナ１９０の筒部１０５の上端から敷設面３００へ抜ける略一連の空間が形成されるようになっている。尚、筒部２１６の高さは前述の如く植栽コンテナ底板１９１の下面に当接する高さとすると、植栽コンテナ１９０に負荷される踏圧等を筒部２１６でも支持することが可能となって好適であるが、必要とする貯水トレー２１０の貯水量に応じて適宜の高さに設定可能であり、好ましく貯水量の減少割合を少なくすべく貯水トレー２１０の側壁２１２の高さと同一か僅かに高くするとよい。
更に、底板２１１の上面には幅広連係片２１３の方へ向けて２つの矢印２１７が形成されており、幅広連係片２１３や幅狭連係片２１４の確認を容易にし、前記２つの矢印２１７を敷設面３００のより低い位置或いは下流側に向けて施工することを容易にしている。前記施工により、相互に連係した貯水トレー２１０に於いて、例えば上流側の貯水トレー２１０に給水し、上流側の貯水トレー２１０内の水が幅広連係片２１３を超えて下流側の貯水トレー２１０に流れ込み、連設した貯水トレー２１０に水を行き渡らせること等が可能となる。更に、底板２１１の四隅近傍に於いて、載置される植栽コンテナ１９０の吸水凸部２００と平面視で対応する位置の凹部２１５内に、平面視略コ字形で上方へ突出する凸部２１８が形成され、凸部２１８に貯水トレー２１０内の水分の有無或いは水分量を検出する水分センサー等を載置可能になっている。
上記植栽コンテナ１９０及び貯水トレー２１０を敷設面３００に施工する際には、図１７に示すように、貯水トレー２１０を幅広連係片２１３と幅狭連係片２１４を係合して連係しながら縦横に並べて敷設面３００に敷設する。その後、貯水トレー２１０の筒部２１６内に第３実施例と同様の短尺の介在体１６０を装入し、敷設面３００に接着剤や両面テープ等で固着する。その後、貯水トレー２１０内に植栽コンテナ１９０を載置し、隣り合う植栽コンテナ１９０・１９０相互を連係受部１９５・１９５に連係部材１９６を係入して連係すると共に、連通する筒部１０５、２１６にボルト１１０等を挿通して介在体１６０に取り付けて、植栽コンテナ１９０及び貯水トレー２００を敷設面３００に固定する。前記固定を並設した植栽コンテナ１９０及び貯水トレー２１０の全てに施し、植栽コンテナ１９０に育成材１０６を充填し、植物１０７を植栽して植栽設備が完成する。
【００３０】
上記第５実施例の植栽基盤の固定構造は、第１〜第３実施例と同様に、植栽設備の優れた美観を維持できる、施工の自由度が高く施工性に優れる、ボルト１１０等の固定部材をスムーズに孔部１０５ｃ内に挿入することができる、育成材１０６を容易に且つムラなく敷設することができる、敷設面３００を傷つけること無く良好な施工性で固定することができる、植栽コンテナ１９０等を敷設面に強固に固定することができる等の効果を有する。
【００３１】
また、植栽コンテナ１９０・１９０相互間の連係や貯水トレー２１０・２１０相互の連係により、植栽設備の設置の安定性を高めることができる。そして、例えば１ｍ２当たりの風圧に対して必要な強度を建物の高さや地域等に応じて計算し、その強度に応じた最小限の固定部材で固定して安定性に優れる植栽設備とすること等が可能となり、固定部材の数を減らしてコストダウンを図ることもできる。更に、植栽コンテナ１９０（植栽基盤）等に複数の筒部１０５（固定可能箇所）等を形成されているので、前記計算に基づき施工現場に応じて耐風圧固定強度を選び、１つの植栽コンテナ１９０等に対する固定部材の数を自在に調整することが可能である。更に、１つの固定可能箇所の強度を弱めることが可能であるため、介在体１６０の接着強度、固定部材自体の強度など落とすことも可能である。また、柱状部材１９７等による踏圧防止構造や補強リブ２０３等を設けることにより、植栽コンテナ１９０の強度を高められる。また、植栽コンテナ筒部２１６内に水抜き用の小孔１０５ｆを穿設していることから、固定部材の錆や植物の根の入り込み等を防止できる。
【００３２】
以上、本発明の第１〜第５実施例について説明したが、本発明はその他に、例えば以下のような拡張や変形を包含する。
【００３３】
上記実施例では、第１〜第３及び第５実施例は敷設面３００に植栽基盤を固定する場合、第４実施例は折板屋根４００に植栽基盤を固定する場合について説明したが、各実施例の植栽基盤の固定構造は、適宜筒部の位置を調整する等により、敷設面３００でも折板屋根４００でも適用可能である。
【００３４】
また、植栽基盤は、植栽基盤１００や植栽コンテナ１４０、１９０以外にも適宜である。更に、植栽基盤を植栽コンテナとする場合に植栽コンテナの構成は適宜であり、例えば側壁下部等に内向きへこみ部のない側壁が略垂直に立設する植栽コンテナを用いてもよい。更に、植栽コンテナを組み合わせて貯水部を用いる場合の貯水部の構成も適宜であり、例えば上記浅いトレー状の貯水トレー１５０、２１０以外に、深さが深い箱形の貯水槽としてもよく、前記貯水槽により水分管理を容易化できる。更に、貯水部を、基板に凹凸が複数設けられ、凹部に水分を貯められ、凸部上面の排水孔から排水する所謂貯水排水層或いは貯水排水体を設けてもよい。更に、貯水部を設ける構成に代え、水分を保水する保水シート等の保水層を設けてもよい。
【００３５】
また、植栽コンテナなど植栽基盤の筒部や貯水トレーなど貯水部の筒部の位置や形状は上記実施例に限定されず、例えば図１８に示すように、植栽コンテナ１９０の筒部１０５の側壁の一部に第５実施例の柱状部材１９７の側板を併用し、柱状部材が部分的に一体化した筒部を用いてもよい。前記構成により、柱状部材１９７等の強度を高められると共に、植栽コンテナを樹脂成形する際の樹脂量を減らして植栽コンテナ等を低コスト化することができる。
【００３６】
また、ボルト等の固定部材や介在体やこれらによる固定構造は上記実施例に限定されず、例えば図１９の第６実施例に示すように、側壁１６０ｂが低い介在体１６０の上板１６０ｃに長手方向へ切り込まれた切込溝１６０ｅ又は孔を形成し、介在体１６０を敷設面３００に接着剤や両面テープ等で固着し、頭部１１０ａが下方に位置し且つ上板１６０ｃの下面に当接するように切込溝１６０ｅ又は孔にボルト１１０をはめ込んで立設させ、軸部１１０ｂを貫通孔１０５ｅに下方から挿通し、孔部１０５ｃ内で固定部材であるナット１１０ｃを軸部１１０ｂに上方から螺合し、ナット１１０ｃを係止受部１０５ｄに当接して係止する構成としてもよい。更に、例えば図２０の第７実施例に示すように、係止受部１０５ｄと略同一高さの上端から上下方向に延びる切欠２２１が形成され、下端に支持板２２２を有する筒状部材２２０を介在体として用い、支持板２２２を敷設面３００に接着等で固着して筒状部材２２０の立設し、筒状部材２２０の上部を貫通孔１０５ｅに挿通し、孔部１０５ｃ内で固定部材であるピン２３０を筒状部材２２０の上方開口から押し込んで切欠２２１を押し広げ、ピン２３０の頭部２３０ａを係止受部１０５ｄに当接して係止する構成としてもよい。
【００３７】
また、固定状態のボルト１１０など固定部材の上端と筒部上端との位置関係に於いて、上記例では固定部材上端を筒部１０５の上端よりも低い内部に配置する場合について説明したが、例えば図２１に示す第８実施例のように、固定部材上端が筒部の上端と同一高さになるようにしてもよい。第８実施例に於ける筒部１０５は、上記例と同様に、外周部１０５ａ、上端面１０５ｂ、孔部１０５ｃ、係止受部１０５ｄ、貫通孔１０５ｅを有するものであるが、孔部１０５ｃの深さ、即ち、上端面１０５ｄから係止受部１０５ｄまでの高さはボルト１１０の頭部１１０ａの高さと同一であり、ボルト軸部１１０ｂを貫通孔１０５ｅに挿通して頭部１１０ａの下面を係止受部１０５ｄに係止した際に、ボルト頭部１１０ａの上面が筒部上端面１０５ｂと面一になって、同一平面内に配置される。貫通孔１０５ｅの下方には介在体１６０が嵌り込む略直方体形或いは略円柱形等の凹部１０５ｇが形成されており、敷設面３００に固着された側壁１６０ｂが高い介在体１６０の上部が凹部１０５ｇに嵌り込み、介在体１６０の上板１６０ｃの上面が凹部１０５ｇの上面に当接するようになっている。取付の際には貫通孔１０５ｅから凹部１０５ｇへ突出するボルト軸部１１０ｂが介在体１６０の雌ねじ部１６０ｄに螺着される。
【００３８】
上記第９実施例では、固定部材上端であるボルト頭部１１０ａの上面と筒部上端である筒部１０５の上端面１０５ｂが面一となることから、筒部１０５の上端に負荷される荷重をボルト頭部１１０ａの上面と筒部上端面１０５ｂで分散して受けることができ、更に、介在体上端である介在体上板１６０ｃの上面が植栽基盤の底部である凹部１０５ｇに当接して支持ことから、筒部１０５の上端に負荷される荷重を固定部材であるボルト１１０及び介在体１６０を介して敷設面３００で支持し、上方からの圧力に対する強度をより高めることができる。更に、植栽基盤を樹脂成形する場合等には、植栽基盤の底板など底部が上方から圧力を受けた際の上下動を抑制することができ、前記上下動による固定部材の緩みも防止することができる。尚、各例に於ける介在体の上端は植栽基盤の底部に当接しない構成とすることも可能であるが、植栽基盤の底板など底部に当接して支持する構成とすることが好ましい。更に、凹部１０５ｇに介在体１６０を嵌合する構成により、植栽基盤の水平方向への移動を規制するなど植栽基盤と介在体との位置ズレを防ぎ、植栽基盤を確実に位置決めすることができると共に、安定した位置決めにより、最後に固定部材での固定を行う場合にもスムーズな固定作業が可能である。
【００３９】
また、筒部１０５の上端開口は、ボルト頭部１１０ａなど固定部材の上端部よりも僅かに大きい程度とすると、より美観を高められる。また、ボルト１１０、ビス１８０、ピン２３０など固定部材は、上端面に器具を係合して取付可能なものとすると好適であり、例えば上端面にドライバーで締め付けるため等の係合溝が形成されているものが好ましい。また、水抜き用の小孔１０５ｆを形成する構成に代え、例えば間座部１７０の外周に上下方向に延びる溝を適宜数形成し、孔部１０５ｃの内周面と前記溝とで囲まれる排水等の小孔を設けるようにしてもよい。
【００４０】
また、本発明は、例えばユニット化した育成材１０６ａを使用し、網で被覆する等の処理を行い、壁面に植栽基盤を固定する構成等とし、敷設面に代えて建物等の壁面に適用して壁面に使用することも可能である。各実施例の構成は壁面緑化の場合に適宜適用可能であり、美観に優れた壁面植栽設備等を形成できる。
【産業上の利用可能性】
【００４１】
本発明は、例えば屋上、ベランダ、折板屋根、壁面等に植栽基盤を用いる植栽設備を設置する際に利用することができる。
【図面の簡単な説明】
【００４２】
【図１】（ａ）は第１実施例の植栽基盤を示す平面図、（ｂ）は同図（ａ）の植栽基盤を示す底面図、（ｃ）は同図（ａ）の植栽基盤を示す正面図、（ｄ）は同図（ａ）の植栽基盤のＡ−Ａ矢視断面図。
【図２】第１実施例の植栽基盤の固定構造を説明する縦断説明図。
【図３】第１実施例の植栽基盤に育成材を設けた状態を示す縦断面図。
【図４】第１実施例の植栽基盤に植栽を施した状態を示す縦断面図。
【図５】第１実施例の植栽基盤の変形例の固定構造を説明する縦断説明図。
【図６】第２実施例の植栽基盤の固定構造を説明する縦断説明図。
【図７】（ａ）は第３実施例の植栽基盤（植栽コンテナ）を示す平面図、（ｂ）は同図（ａ）の植栽基盤を示す底面図、（ｃ）は同図（ａ）の植栽基盤を示す正面図、（ｄ）は同図（ａ）の植栽基盤のＡ−Ａ矢視断面図。
【図８】（ａ）は第３実施例に於ける貯水部（貯水トレー）を示す平面図、（ｂ）は同図（ａ）の貯水部を示す底面図、（ｃ）は同図（ａ）の貯水部を示す正面図、（ｄ）は同図（ａ）の貯水部のＡ−Ａ矢視断面図。
【図９】（ａ）は第３実施例に於ける介在体を示す平面図、（ｂ）は同図（ａ）の介在体を示す底面図、（ｃ）は同図（ａ）の介在体を示す正面図、（ｄ）は同図（ａ）の介在体のＡ−Ａ矢視断面図、（ｅ）は同図（ａ）の介在体を示す斜視図。
【図１０】（ａ）は第３実施例に於ける間座部を示す平面図、（ｂ）は同図（ａ）の間座部を示す底面図、（ｃ）は同図（ａ）の間座部を示す正面図、（ｄ）は同図（ａ）の間座部のＡ−Ａ矢視断面図、（ｅ）は同図（ａ）の間座部を示す斜視図。
【図１１】第３実施例の植栽基盤の固定手順を説明する説明図。
【図１２】第４実施例に於ける折板屋根及び下地材を示す斜視説明図。
【図１３】第４実施例の植栽基盤を折板屋根へ固定する構造を説明する縦断説明図。
【図１４】（ａ）は第５実施例に於ける植栽基盤（植栽コンテナ）を示す平面図、（ｂ）は同図（ａ）の植栽基盤を示す底面図、（ｃ）は同図（ａ）の植栽基盤を示す正面図、（ｄ）は同図（ａ）の植栽基盤のＡ−Ａ矢視断面図。
【図１５】（ａ）は第５実施例に於ける貯水部（貯水トレー）を示す平面図、（ｂ）は同図（ａ）の貯水部を示す底面図、（ｃ）は同図（ａ）の貯水部を示す正面図、（ｄ）は同図（ａ）の貯水部のＡ−Ａ矢視断面図。
【図１６】第５実施例の植栽基盤（植栽コンテナ）相互の連係構造を示す拡大説明図。
【図１７】第５実施例の植栽基盤の固定構造を説明する縦断説明図。
【図１８】別例の筒部を有する植栽基盤（植栽コンテナ）の平面図。
【図１９】第６実施例の植栽基盤の固定構造を説明する縦断説明図。
【図２０】第７実施例の植栽基盤の固定構造を説明する縦断説明図。
【図２１】第８実施例の植栽基盤の固定構造を説明する縦断説明図。
【符号の説明】
【００４３】
１００  植栽基盤
１０５  筒部
１０５ａ  外周部
１０５ｂ  上端面
１０５ｃ  孔部
１０５ｄ  係止受部
１０５ｅ  貫通孔
１０５ｆ  小孔
１０５ｇ  凹部
１０６、１０６ａ  育成材
１０７  植物
１０８  植栽マット
１１０  ボルト
１３０、１６０  介在体
１４０、１９０  植栽コンテナ
１５０、２１０  貯水トレー
１５３、２１６  貯水トレー筒部
１７０  間座部
１８０  ビス
２２０  筒状部材
２３０  ピン
３００  敷設面
４００  折板屋根
【図１】
2007159484.tif 000003
【図２】
2007159484.tif 000004
【図３】
2007159484.tif 000005
【図４】
2007159484.tif 000006
【図５】
2007159484.tif 000007
【図６】
2007159484.tif 000008
【図７】
2007159484.tif 000009
【図８】
2007159484.tif 000010
【図９】
2007159484.tif 000011
【図１０】
2007159484.tif 000012
【図１１】
2007159484.tif 000013
【図１２】
2007159484.tif 000014
【図１３】
2007159484.tif 000015
【図１４】
2007159484.tif 000016
【図１５】
2007159484.tif 000017
【図１６】
2007159484.tif 000018
【図１７】
2007159484.tif 000019
【図１８】
2007159484.tif 000020
【図１９】
2007159484.tif 000021
【図２０】
2007159484.tif 000022
【図２１】
2007159484.tif 000023